(57)【要約】【課題】給水時および給水停止時に異音が発生せず、静粛性に優れた多連式給水電磁弁を提供する。【解決手段】多連式給水電磁弁を構成する複数の電磁弁のうちの少なくとも１つにつき、それに組み込まれるダイヤフラムクミ６を、平面部６１ｅおよび当該平面部６１ｅの周縁より一方向に向けて起立された周壁部６１ｆとを有するダイヤフラムイタ６１と、平面部６１ｅに面で接する平面状の給水遮断部６２ａ、ボディ１１に固定される固定部６２ｂおよびこれら給水遮断部６２ａと固定部６２ｂとの間に形成された弾性変形部６２ｃとを有するダイヤフラム６２とから構成する。ダイヤフラムイタ６１にダイヤフラム６２を組み込んで、周壁部６１ｆと弾性変形部６２ｃとを対向に配置したとき、これら周壁部６１ｆと弾性変形部６２ｃとの間の少なくとも一部に空隙部６４を形成する。【選択図】図４
2014047803.tif 000002
【特許請求の範囲】
【請求項１】
ソレノイドへの通電を断続してプランジャを前後進駆動するプランジャユニットと、前記プランジャの前後進駆動に応じて、ボディに形成された給水路を開閉するダイヤフラムクミとを有する複数の電磁弁を備え、
前記ダイヤフラムクミは、オリフィスを設けた硬質のダイヤフラムイタと、当該ダイヤフラムイタに組み込まれる軟質のダイヤフラムとから構成され、
前記複数の電磁弁のうちの少なくとも１つに備えられる前記ダイヤフラムクミは、前記ダイヤフラムイタが、前記ダイヤフラムを面で支える平面部と、当該平面部の周縁より一方向に向けて起立された周壁部とを有し、
当該ダイヤフラムイタに組み込まれる前記ダイヤフラムが、前記ダイヤフラムイタの平面部に面で接する平面状の給水遮断部と、前記ボディに固定される固定部と、これら給水遮断部と固定部との間に形成された弾性変形部とを有する構成となっており、
前記ダイヤフラムイタに前記ダイヤフラムを組み込んで、前記ダイヤフラムイタの周壁部と前記ダイヤフラムの弾性変形部とを対向に配置したとき、前記周壁部と前記弾性変形部との間の少なくとも一部に、これらの両部が接触しない空隙部を形成したことを特徴とする多連式給水電磁弁。
【請求項２】
前記ダイヤフラムイタの平面部と周壁部とを繋ぐ角部に面取り又は丸み付けを施すことにより、前記周壁部と前記弾性変形部との間に前記空隙部を形成したことを特徴とする請求項１に記載の多連式給水電磁弁。
【請求項３】
前記周壁部のうち、少なくとも前記ダイヤフラムの弾性変形部と対向する面を粗面にすることにより、前記周壁部と前記弾性変形部との間に前記空隙部を形成したことを特徴とする請求項１に記載の多連式給水電磁弁。
【発明の詳細な説明】
【技術分野】
【０００１】
本発明は、パイロット作動式電磁弁および直動式電磁弁を備える多連式給水電磁弁に関する。
【背景技術】
【０００２】
例えば、全自動洗濯機、全自動洗濯乾燥機等の一般民生用機器の性能が向上する中、一つの流入口に対して、流出する水の流量が異なる複数の流出口を備える多連式給水電磁弁のニーズが高まりつつある。また、これに伴い、多連式給水電磁弁の部品コストを抑え、かつ、流入口の水圧の高低に左右されずに流出口から流出する水の流量を一定に確保することを要求されることが多くなっている。特に、微少流量用の給水電磁弁においては、異物が混入したことによる流量特性の低下を防止することが必要になっている。
【０００３】
本願の出願人は、先に、これらの要求に対応するため、オリフィスを開閉することにより弁の開閉を行う電磁弁を複数備える多連式給水電磁弁であって、前記電磁弁のうちの第一電磁弁は、オリフィスを設けた硬質部材の第一ダイヤフラムイタ、該第一ダイヤフラムイタに組み込む軟質部材の第一ダイヤフラムおよび水撃圧を低減する水撃圧低減部品を有する第一ダイヤフラムクミと、第一流出口と連通する流出管に、所定の第一流量の流体を吐き出す流量調整機構部品と、を備えるパイロット作動式の電磁弁であり、前記電磁弁のうちの第二電磁弁は、オリフィスを設けた硬質部材の第二ダイヤフラムイタ、該第二ダイヤフラムイタに組み込む軟質部材の第二ダイヤフラムおよび前記第二ダイヤフラムイタと前記第二ダイヤフラムを貫通する孔に設けられたメッシュを有する第二ダイヤフラムクミと、第二流出口と連通する流出管に、前記第一流量よりも少ない所定の第二流量の流体を吐き出す微少流量調整機構部品と、を備え、前記第二ダイヤフラムイタは、流路壁面と当接して前記第二ダイヤフラムクミを固定する突き当て部を有する直動式の電磁弁であることを特徴とするものを提案した（特許文献１の段落０００９参照。）。
【０００４】
特許文献１に記載の多連式給水電磁弁は、パイロット作動式の電磁弁である第一電磁弁に流量調整機構部品を備えると共に、直動式の電磁弁である第二電磁弁に微少流量調整機構部品を備えたので、流入口の水圧の高低に左右されずに各電磁弁の流出口より流出する水の流量を一定にすることができる。また、特許文献１に記載の多連式給水電磁弁は、直動式の電磁弁である第二電磁弁の第二ダイヤフラムイタと第二ダイヤフラムを貫通する孔にメッシュを設けたので、オリフィスへの異物の侵入を防止でき、異物の混入による流量特性の低下を防止することができる。さらに、特許文献１に記載の多連式給水電磁弁は、第二ダイヤフラムイタの合成樹脂部分に第二ダイヤフラムを当接するので、第二ダイヤフラムイタと第二ダイヤフラムとの間に水封のためのＯリング等を備える必要がなく、部品点数の削減による多連式給水電磁弁の低コスト化を図ることができる。
【先行技術文献】
【特許文献】
【０００５】
【特許文献１】特開２０１２−７７７８５号公報
【発明の概要】
【発明が解決しようとする課題】
【０００６】
しかしながら、特許文献１に記載の多連式給水電磁弁は、第一電磁弁を給水状態から給水停止状態に切り換えたとき、第一ダイヤフラムクミから異音を発生することがある。本願の発明者は、この異音の発生原因について鋭意研究した結果、次の知見を得た。以下、本願の発明者が解明した異音の発生原因を、図１３（ａ），（ｂ）を用いて説明する。
【０００７】
これらの図において、符号１０はベースとなる鉄板プレート、符号１１は鉄板プレート１０の正面側に取り付けられるボディ、符号５は鉄板プレート１０の背面側に取り付けられるプランジャユニット、符号６はプランジャユニット５によりオンオフ駆動されるダイヤフラムクミ６を示している。ダイヤフラムクミ６は、合成樹脂成形品である硬質のダイヤフラムイタ６１と、ゴムなどで形成された軟質のダイヤフラム６２とからなる。プランジャユニット５に備えられたソレノイド５５に通電すると、磁性のプランジャ５１が図上で右方向に移動し、プランジャ５１の先端部に取り付けられたプランジャシート５２が、ダイヤフラムイタ６１の先端に形成されたオリフィス６１ｂから離隔する。この状態になると、ボディ１１に形成された流入室１２内の圧力が、ボディ１１とプランジャユニット５との間に形成された背圧室１３内の圧力よりも高くなり、軟質のダイヤフラム６２が変形して、ダイヤフラムクミ６が図上で右方向に移動するので、図１３（ｂ）に示すように、ボディ１１に形成されたリップ１５とダイヤフラム６２との間に隙間が生じる。よって、図示しない水道水の流入口から流入室１２内に流れ込んだ水道水が、リップ１５とダイヤフラム６２との間に生じた隙間を通って流出管１４内に流れ込み、流出管１４から外部に流出される。
【０００８】
この状態から、ソレノイド５５への通電を遮断すると、磁性のプランジャ５１が図上で左方向に移動し、プランジャ５１の先端部に取り付けられたプランジャシート５２が、ダイヤフラムイタ６１の先端に形成されたオリフィス６１ｂに押し付けられる。この状態になると、背圧室１３内の水が行き場をなくすため、背圧室１３内の圧力が流入室１２内の圧力よりも高くなり、ダイヤフラムクミ６が図上で左方向に移動するので、図１３（ａ）に示すように、ボディ１１に形成されたリップ１５にダイヤフラム６２が密着する。よって、流出管１４からの水の流出が停止される。
【０００９】
図１３（ａ）に示すように、特許文献１に記載の多連式電磁給水弁は、流出管１４からの水の流出が停止されている状態において、ダイヤフラムイタ６１とダイヤフラム６２がその対向面および側面の全体にわたって密着するように構成されている。このため、ソレノイド５５のオンオフに伴ってダイヤフラム６２が変形する際に、ダイヤフラムイタ６１とダイヤフラム６２との間（特に、これら両部材６１，６２の側面の間）に摩擦を生じ、両部材６１，６２の間に作用する摩擦力によって異音が発生する。
【００１０】
本発明は、従来技術が有する上述の問題点を解消するためになされたものであり、その目的は、給水時および給水停止時に異音が発生せず、静粛性に優れた多連式給水電磁弁を提供することにある。
【課題を解決するための手段】
【００１１】
このような課題を解決するため、本願の請求項１に係る多連式給水電磁弁は、ソレノイドへの通電を断続してプランジャを前後進駆動するプランジャユニットと、前記プランジャの前後進駆動に応じて、ボディに形成された給水路を開閉するダイヤフラムクミとを有する複数の電磁弁を備え、前記ダイヤフラムクミは、オリフィスを設けた硬質のダイヤフラムイタと、当該ダイヤフラムイタに組み込まれる軟質のダイヤフラムとから構成され、前記複数の電磁弁のうちの少なくとも１つに備えられる前記ダイヤフラムクミは、前記ダイヤフラムイタが、前記ダイヤフラムを面で支える平面部と、当該平面部の周縁より一方向に向けて起立された周壁部とを有し、当該ダイヤフラムイタに組み込まれる前記ダイヤフラムが、前記ダイヤフラムイタの平面部に面で接する平面状の給水遮断部と、前記ボディに固定される固定部と、これら給水遮断部と固定部との間に形成された弾性変形部とを有する構成となっており、前記ダイヤフラムイタに前記ダイヤフラムを組み込んで、前記ダイヤフラムイタの周壁部と前記ダイヤフラムの弾性変形部とを対向に配置したとき、前記周壁部と前記弾性変形部との間の少なくとも一部に、これらの両部が接触しない空隙部を形成したことを特徴とする。
【発明の効果】
【００１２】
本発明によれば、ダイヤフラムイタの周壁部とこれに対向するダイヤフラムの弾性変形部の少なくとも一部に、給水遮断状態において互いに接触しない空隙部を設けたので、ソレノイドのオンオフ切換に伴ってダイヤフラムが変形しても、これら周壁部と弾性変形部との間に作用する摩擦力が低下し、摩擦力に起因する異音の発生を防止又は抑制することができる。
【図面の簡単な説明】
【００１３】
【図１】実施形態に係る多連式給水電磁弁の斜視図である。
【図２】実施形態に係る多連式給水電磁弁の流入口部分の構成を示す断面図である。
【図３】実施形態に係る多連式給水電磁弁中に組み込まれるパイロット作動式電磁弁の断面図である。
【図４】実施形態に係るパイロット作動式電磁弁に備えられるパイロット式ダイヤフラムクミの構成と動作を示す断面図である。
【図５】実施形態に係る多連式給水電磁弁中に組み込まれるパイロット作動式電磁弁と直動式電磁弁の断面図である。
【図６】実施形態に係るパイロット作動式電磁弁に備えられるフローコントローラの側面図および斜視図である。
【図７】フローワッシャを組み込んだフローコントローラの断面図である。
【図８】水圧印加時におけるフローワッシャの変形状態を示す断面図である。
【図９】実施形態に係る多連式給水電磁弁中に組み込まれる直動式電磁弁の拡大断面図である。
【図１０】実施形態に係る直動式用ダイヤフラムイタの背面側から見た斜視図である。
【図１１】実施形態に係る直動式用ダイヤフラムクミの分解斜視図である。
【図１２】実施形態に係る直動式用ダイヤフラムイタの断面図である。
【図１３】本願の出願人が先に提案したパイロット作動式電磁弁に備えられるパイロット式ダイヤフラムクミの構成と動作を示す断面図である。
【発明を実施するための形態】
【００１４】
以下、本発明を実施するための形態について、全自動洗濯乾燥機に用いられる多連式給水電磁弁を例にとり、図面を参照しながら詳細に説明する。勿論、本発明に係る多連式給水電磁弁は全自動洗濯乾燥機に用いられるものに限定されるわけではなく、流入口および流出口の数についても、本明細書に記載のものに限定されるわけではない。
【００１５】
≪多連式給水電磁弁１≫
図１に示すように、本発明の実施形態に係る多連式給水電磁弁１は、給水電磁弁ユニット２Ａ，２Ｂ，２Ｃ，２Ｄを備える４連式給水電磁弁である。多連式給水電磁弁１は、ベースとなる鉄板プレート１０と、鉄板プレート１０の正面側に取り付けられるボディ１１と、鉄板プレート１０の背面側に取り付けられる４つのプランジャユニット５とを備えている。
【００１６】
ボディ１１は、合成樹脂成形部材であり、水道水が流入する流入口３と、給水電磁弁ユニット２Ａ，２Ｂ，２Ｃ，２Ｄ（図３および図５参照）と対応する水道水の流出口４Ａ，４Ｂ，４Ｃ，４Ｄと、流入口３から各流出口４Ａ，４Ｂ，４Ｃ，４Ｄに連通する流路が形成されている。
【００１７】
流入口３は、給水ホース（図示せず）を介して水道栓（図示せず）と接続される。図２に示すように、流入口３には、流入口フィルタ３１と、流入口流量調整機構部品３２とが設けられている。流入口フィルタ３１は、湾曲したメッシュ状のフィルタであり、水道水中の異物を除去しつつ水道水の流路を確保する。これにより、多連式給水電磁弁１の内部に異物が侵入することによる多連式給水電磁弁１の動作不良や流量特性が低下することを防止する。一方、流入口流量調整機構部品３２は、多連式給水電磁弁１に流入する水道水の流量を調整するための部品であり、水道栓から給水される水圧や流量が異なる場合でも、流入口流量調整機構部品３２により流量が調整される。流量が調整された水道水は、流入路（図示せず）を介して各給水電磁弁ユニット２Ａ，２Ｂ，２Ｃ，２Ｄの流入室１２(図３〜図５参照)に流入する。
【００１８】
図１に戻り、流出口４Ａ，４Ｂ，４Ｃ，４Ｄについて説明する。流出口４Ａは、全自動洗濯乾燥機の外槽（図示せず）と接続ホース（図示せず）を介して接続される。給水電磁弁ユニット２Ａを開弁することにより、流出口４Ａから大流量程度の水道水が外槽に給水される。ちなみに、給水電磁弁ユニット２Ａは、全自動洗濯乾燥機の洗い運転時や溜めすすぎ運転時に、外槽内に給水する際に用いられるものである。なお、詳細は後述するが、給水電磁弁ユニット２Ａは、パイロット作動式電磁弁である（図３参照）。
【００１９】
流出口４Ｂは、全自動洗濯乾燥機の外槽カバー（図示せず）と接続ホース（図示せず）を介して接続される。給水電磁弁ユニット２Ｂを開弁することにより、流出口４Ｂから大流量程度の水道水が外槽カバーの噴出口から全自動洗濯乾燥機のドラム（図示せず）内に給水される。ちなみに、給水電磁弁ユニット２Ｂは、全自動洗濯乾燥機のすすぎ運転時にドラム内の衣類に水道水を直接吹きつけるように給水する際に用いられる。なお、詳細は後述するが、給水電磁弁ユニット２Ｂも、パイロット作動式電磁弁である（図３参照）。
【００２０】
流出口４Ｃは、全自動洗濯乾燥機の洗剤ケース（図示せず）と接続ホース（図示せず）を介して接続される。給水電磁弁ユニット２Ｃを開弁することにより、流出口４Ｃから少流量程度の水道水が洗剤ケースに給水される。なお、詳細は後述するが、給水電磁弁ユニット２Ｃも、流量調整機構部品７を備えたパイロット作動式電磁弁である（図５参照）。
【００２１】
流出口４Ｄは、全自動洗濯乾燥機の水冷除湿機構（図示せず）と接続ホース（図示せず）を介して接続される。給水電磁弁ユニット２Ｄを開弁することにより、流出口４Ｄから微少流量程度の水道水が水冷除湿機構に給水される。なお、詳細は後述するが、給水電磁弁ユニット２Ｄは、直動式用ダイヤフラムクミ８と微少流量調整機構部品９とを備えた直動式電磁弁である（図５および図９参照）。
【００２２】
≪給水電磁弁ユニット２Ａ，２Ｂ≫
次に、図３を用いて、多連式給水電磁弁１の備える給水電磁弁ユニット２Ａ，２Ｂについて説明する。なお、給水電磁弁ユニット２Ａ，２Ｂは同じ構成を有しているため、給水電磁弁ユニット２Ａについてのみ説明を行い、給水電磁弁ユニット２Ｂについては説明を省略する。
【００２３】
給水電磁弁ユニット２Ａは、流入口３および流出口４Ａが形成されたボディ１１と、プランジャユニット５と、ダイヤフラムクミ（ダイヤフラム弁）６とを備えている。また、給水電磁弁ユニット２Ａは、流入室１２、背圧室１３、流出管１４、リップ１５および部品取付部１６が形成されている。
【００２４】
流入室１２は、ボディ１１とパイロット式ダイヤフラムクミ６との間に形成された室であり、流入口流量調整機構部品３２（図２参照）により流量が調整された水道水が流入する。
【００２５】
背圧室１３は、パイロット式ダイヤフラムクミ６と後述するパイプ５４との間に形成された室である。
【００２６】
流出管１４は、上流側にリップ１５が形成され、下流側は流出口４Ａと接続している。また、流出管１４には、流量を制限する流量調整機構部品７（図４参照）や微少流量調整機構部品９（図４参照）を取り付け可能な部品取付部１６が形成されている。なお、給水電磁弁ユニット２Ａ（２Ｂ）は、流出口４Ａ（４Ｂ）から大流量程度の水道水を流出するものであり、部品取付部１６には何も取り付けられていない。
【００２７】
≪プランジャユニット５≫
次に、プランジャユニット５について説明する。図３に示すように、実施形態に係るプランジャユニット５は、プランジャ５１と、プランジャシート（パイロット弁）５２と、コイルバネ５３と、パイプ５４と、プランジャ５１を吸引するソレノイド５５と、ソレノイド５５を鉄板プレート１０に固定するヨーク５６とを備えている。
【００２８】
プランジャ５１は、磁性部材であり、切削加工が容易で耐食性に優れたステンレス材を用いて作製することが望ましい。プランジャシート５２は、プランジャ５１の一端に設けられた軟質部材であり、パイロット式ダイヤフラムクミ６のオリフィス６１ｂと当接することにより、オリフィス６１ｂを水封する。コイルバネ５３は、プランジャ５１をオリフィス６１ｂ側に突出する方向に付勢する。コイルバネ５３の材質としては、例えば、耐食性に優れたステンレス鋼線が用いられる。
【００２９】
パイプ５４は、有底の筒部５４ａと、フランジ部５４ｂと、水封部５４ｃとからなる合成樹脂成形部材である。有底の筒部５４ａ内には、プランジャ５１とコイルバネ５３が組み込まれている。また、筒部５４ａの外周には、ソレノイド５５が設けられている。水封部５４ｃは、軟質部材であるダイヤフラム６２の外周部をボディ１１に形成されたリップ１５に押止めして水封する。
【００３０】
ソレノイド５５へ電源を印加することにより、磁気作用が発生し、プランジャ５１がオリフィス６１ｂから離隔する方向に吸引される。これにより、プランジャシート５２がパイロット式ダイヤフラムクミ６のオリフィス６１ｂから離れてオリフィス６１ｂの水封が解除される。一方、ソレノイド５５への電源を遮断することにより、磁気作用によるプランジャ５１の吸引が解除され、プランジャ５１の背面側と筒部５４ａの底部との間に設けられたコイルバネ５３の付勢力により、プランジャシート５２がオリフィス６１ｂに当接し、オリフィス６１ｂの水封を行う。
【００３１】
≪パイロット式ダイヤフラムクミ６≫
次に、パイロット式ダイヤフラムクミ６について説明する。図３および図４に示すように、パイロット式ダイヤフラムクミ６は、合成樹脂成形品からなる硬質のダイヤフラムイタ６１と、ゴムやラッテックスなどのゴム状弾性を有する材料からなる軟質のダイヤフラム６２とで構成されている。
【００３２】
ダイヤフラムイタ６１は、図４（ａ），（ｂ）に示すように、ダイヤフラム６２を面で支える平面部６１ｅと、当該平面部６１ｅの周縁より背圧室１３側に向けて起立された周壁部６１ｆを有している。そして、これら平面部６１ｅと周壁部６１ｆとを繋ぐ角部には、丸み付け（Ｒ）６１ｇが施されている。なお、平面部６１ｅと周壁部６１ｆとを繋ぐ角部には、丸み付け（Ｒ）６１ｇに代えて、テーパ状の面取りを施すこともできる。また、平面部６１ｅと周壁部６１ｆとを繋ぐ角部に、丸み付け（Ｒ）６１ｇやテーパ状の面取りを施す構成に代えて、周壁部６１ｆの外面を梨地等の粗面に形成することもできる。
【００３３】
平面部６１ｅの中央部には、オリフィス６１ｂが背圧室１３側に向けて突出形成されると共に、円筒部６１ｃが流出管１４側に向けて突出形成されており、背圧室１３と流出管１４とは、オリフィス６１ｂおよび円筒部６１ｃを介して通水可能となっている。また、平面部６１ｅの外周部には、サイドオリフィス６１ａが形成されており、流入室１２と背圧室１３とは、サイドオリフィス６１ａを介して通水可能となっている。なお、円筒部６１ｃの外径は流出管１４の内径よりも小さく、円筒部６１ｃの外周には整流羽根６１ｄが複数枚形成されていて、円筒部６１ｃおよび整流羽根６１ｄが流出管１４に嵌挿されている。
【００３４】
一方、ダイヤフラム６２は、図４（ａ），（ｂ）に示すように、ダイヤフラムイタ６１の平面部６１ｅと面で接する平面状の給水遮断部６２ａと、ボディ１１に固定される固定部６２ｂと、これら給水遮断部６２ａと固定部６２ｂとの間に形成されたＵ字断面の弾性変形部６２ｃを有する。図４（ａ）に示すように、ダイヤフラム６２は、給水遮断部６２ａをダイヤフラムイタ６１の平面部６１ｅに当接させ、かつ、弾性変形部６２ｃをダイヤフラムイタ６１の周壁部６１ｆの外面と対向に配置させた状態で、ダイヤフラムイタ６１に組み込まれる。このとき、ダイヤフラムイタ６１の周壁部６１ｆとダイヤフラム６２の弾性変形部６２ｃとの間には、ダイヤフラムイタ６１に形成された丸み付け（Ｒ）６１ｇに相当する空隙部６４が形成される。ダイヤフラムイタ６１に丸み付け（Ｒ）６１ｇを施す構成に代えて、テーパ状の面取りや梨地等の粗面を形成した場合にも、これと同様に、周壁部６１ｆと弾性変形部６２ｃとの間には、ダイヤフラムイタ６１に形成された面取りや粗面の凹部に相当する空隙部６４が形成される。
【００３５】
上述したように、ソレノイド５５へ電源を印加すると、プランジャ５１がオリフィス６１ｂから離隔する方向に吸引されるので、プランジャシート５２がパイロット式ダイヤフラムクミ６のオリフィス６１ｂから離れて、オリフィス６１ｂの水封が解除される。オリフィス６１ｂの水封が解除されると、流入室１２の水道水は、サイドオリフィス６１ａから背圧室１３に流入し、オリフィス６１ｂ、円筒部６１ｃおよび流出管１４を通って、流出口４Ａから流出する。この流路が開通されると、流入室１２の水道水の圧力でパイロット式ダイヤフラムクミ６がリップ１５から離れて、両者の間に隙間が生じ、図４（ｂ）に示すように、大部分の水道水は、流入室１２から、パイロット式ダイヤフラムクミ６とリップ１５との間に生じた隙間、流出管１４の内壁と円筒部６１ｃの外壁の間を通り、流出管１４の流出口４Ａから流出する。このとき、ダイヤフラム６２は、図４（ｂ）に示すように、給水遮断部６２ａの外周部および弾性変形部６２ｃが弾性変形し、弾性変形部６２ｃは、ダイヤフラムイタ６１の周壁部６１ｆと対向する位置から離隔する。
【００３６】
この状態からソレノイド５５への電源の印加が断たれると、磁気作用によるプランジャ５１の吸引が解除され、プランジャユニット５に備えられたコイルバネ５３の付勢力によりプランジャシート５２がオリフィス６１ｂに当接し、オリフィス６１ｂが水封される。そして、オリフィス６１ｂが水封されると、サイドオリフィス６１ａから背圧室１３に流入した水道水は、行き場をなくして背圧室１３内に溜まるため、背圧室１３内の水圧が上昇し、パイロット式ダイヤフラムクミ６がリップ１５側に移動する。これにより、パイロット式ダイヤフラムクミ６のダイヤフラム６２がリップ１５に押し付けられ、ダイヤフラム６２とリップ１５との間が水封されて、流出口４Ａが止水される。このとき、ダイヤフラム６２の弾性変形部６２ｃは、図４（ａ）に示すように、ダイヤフラムイタ６１の周壁部６１ｆと対向する位置に戻る。
【００３７】
上述したように、本実施形態においては、ダイヤフラムイタ６１の周壁部６１ｆとダイヤフラム６２の弾性変形部６２ｃとの間に空隙部６４を形成したので、周壁部６１ｆに対して弾性変形部６２ｃが相対的に変形した場合にも、これら周壁部６１ｆと弾性変形部６２ｃとの間に摩擦力が作用しにくくすることができる。よって、給水電磁弁ユニット２Ａのオンオフに伴う異音の発生を解消することができる。
【００３８】
なお、サイドオリフィス６１ａには、合成樹脂成形部材である水撃圧低減部品６３が設けられており、流入室１２から背圧室１３に流入する水道水の流量を制限している。これにより、急激な閉弁動作が防止され、ウォータハンマー（水撃作用、水槌）の発生を低減することができる。
【００３９】
≪給水電磁弁ユニット２Ｃ≫
次に、図５を用いて、多連式給水電磁弁１に備えられた給水電磁弁ユニット２Ｃについて説明する。
【００４０】
給水電磁弁ユニット２Ｃは、給水電磁弁ユニット２Ａ，２Ｂ（図３参照）とは異なり、流出口４Ｃへ向かう流出管１４の部品取付部１６に、流量調整機構部品７が取り付けられている。その他の構成は、給水電磁弁ユニット２Ａ，２Ｂと同様であるので、重複を避けるために説明を省略する。
【００４１】
≪流量調整機構部品７≫
図５に示すように、流量調整機構部品７は、合成樹脂成形部材であるフローコントローラ７１と、軟質部材であるフローワッシャ７２とで構成されている。流出口４Ｃから流出する水道水の流量範囲は、流出口４Ａ，４Ｂよりも比較的狭く一定に規定されている。このため、流入口３に設けられた流入口流量調整機構部品３２（図２参照）とは別に、流出口４Ｃへと向かう流出管１４の部品取付部１６に流量調整機構部品７を取り付け、給水栓の水圧に左右されず、安定した少流量程度の水道水が流出口４Ｃから流出するようになっている。
【００４２】
図６（ａ）はフローコントローラ７１の側面図であり、図６（ｂ）はフローコントローラ７１の斜視図である。これらの図から明らかなように、フローコントローラ７１には、フローワッシャ７２の孔に挿入する中心軸体７３と、外周側に複数の凸部体７４とが形成されている。また、中心軸体７３には、フローワッシャ７２を組み込んだ際に、フローワッシャ７２を係止するための係止部７５が形成されている。ここで、係止部７５は、液体の流れ方向の下流側から見て、凸部体７４よりも高い位置に形成されている。また、フローコントローラ７１には、切欠７６や、上流側から下流側に連通する流路７７（図７参照）が形成され、流量調整機構部品７が調整する流量が規定される。
【００４３】
図７に示すように、フローコントローラ７１にはフローワッシャ７２が組み込まれる。上述したように、フローコントローラ７１には、係止部７５が凸部体７４よりも僅かながらも高い位置に形成されているので、フローワッシャ７２をフローコントローラ７１に組み込んだ状態において、フローワッシャ７２の下流側平面と、凸部体７４の上端面との間にクリアランス７８が形成される。なお、フローワッシャ７２の組み込みは、フローワッシャ７２が係止部７５と当接するまで中心軸体７３に挿入する。このように、フローワッシャ７２の中心側を所定位置（係止部７５と当接する位置）まで押し込むことにより、フローワッシャ７２の外周側の位置も自ずと決まるため、流量調整機構部品７の組み込み作業が安定し、流量調整機構部品７におけるフローワッシャ７２の取付状態の統一性を図ることができる。
【００４４】
流出口４Ｃへ向かう流出管１４に水圧が加わると、図８に示すように、フローワッシャ７２の中心側は係止部７５に固定されたまま、水圧によりフローワッシャ７２の外周部が凸部体７４と当接するように変形する。しかしながら、本実施形態に係る流量調整機構部品７は、上述したように、係止部７５を凸部体７４よりも高い位置に形成し、かつフローワッシャ７２の中心側を当該係止部７５に固定するようにしたので、水圧印加持の水圧によるフローワッシャ７２の変形量を極力小さくすることができる。このため、フローワッシャ７２の組み込み性の向上を図りつつ、流量調整機構部品７の流量特性を安定させることができる。
【００４５】
≪給水電磁弁ユニット２Ｄおよび流出口４Ｄ≫
次に、本実施形態に係る多連式給水電磁弁１に備えられる給水電磁弁ユニット２Ｄにつき、図９〜図１２を用いて説明する。給水電磁弁ユニット２Ｄは、微少流量調整機構部品９を備えた直動式電磁弁である。
【００４６】
給水電磁弁ユニット２Ｄには、図９に示すように、流出口４Ｄへ向かう流出管１４の部品取付部１６に、微少流量調整機構部品９が取り付けられる。その他の構成については、給水電磁弁ユニット２Ａ，２Ｂ，２Ｃと同様であるので、重複をさせるために説明を省略する。
【００４７】
給水電磁弁ユニット２Ｄは、直動式用ダイヤフラムクミ８を用いることにより、直動式電磁弁となる。パイロット作動式電磁弁と比較して流量が小さい直動式電磁弁を用いると共に、微少流量調整機構部品９を用いて流量を規制することにより、流出口４Ｄから微少流量の水道水を供給することができる。
【００４８】
直動式電磁弁である給水電磁弁ユニット２Ｄは、ソレノイド５５へ電源が印加され、オリフィス８１ｂの水封が解除されると、流入室１２の水道水が、直動式用ダイヤフラム８２に開設された孔８２ａ、メッシュ８３、直動式用ダイヤフラムイタ８１の孔８１ａを通って背圧室１３内に流入する。また、背圧室１３内に流入した水道水は、直動式用ダイヤフラムイタ８１に開設されたオリフィス８１ｂ、流出管１４、微少流量調整機構部品９を通って、流出口４Ｄから流出する。この状態から、ソレノイド５５への電源を遮断すると、給水電磁弁ユニット２Ｄは、オリフィス８１ｂが水封され、流出口４Ｄが止水される。
【００４９】
≪直動式用ダイヤフラムクミ８≫
図９に示すように、直動式用ダイヤフラムクミ８は、合成樹脂の成形品からなる硬質の直動式用ダイヤフラムイタ８１と、ゴムやラテックスなどからなる軟質の直動式用ダイヤフラム８２と、ステンレス性で耐食性の優れたメッシュ８３とで構成されている。
【００５０】
直動式用ダイヤフラムイタ８１は、図１０〜図１２に示すように、孔８１ａと、オリフィス８１ｂと、ボス８１ｃが形成されている。孔８１ａは、直動式用ダイヤフラム８２に開設された孔８２ａ（図９参照）と対応する位置に開設されており、流入室１２（図９参照）から背圧室１３（図９参照）へ通水可能としている。オリフィス８１ｂは、背圧室１３（図９参照）から流出管１４（図９参照）へ通水可能としている。ボス８１ｃは、フランジ部５４ｂ（図９参照）と当接して、直動式用ダイヤフラムクミ８を固定する。孔８２ａと孔８１ａとの間には、微少流量調整機構部品９（図９参照）における水道水中の異物による詰まりなどが発生しやすくなることを防止するために、メッシュ８３が設けられている。
【００５１】
メッシュ８３は、直動式用ダイヤフラムイタ８１にインサート成形されている。したがって、図１１および図１２に示すように、直動式用ダイヤフラムイタ８１の片面の直動式用ダイヤフラム８２が当接する部位８１ｄは、合成樹脂成形部分となっており、該部にメッシュ８３が露出していない。これにより、直動式用ダイヤフラム８２をメッシュ８３に当接させず、直動式用ダイヤフラムイタ８１の合成樹脂成形部分に直動式用ダイヤフラム８２を当接することによって水封することができるので、直動式用ダイヤフラムクミ８による水封を確実に行うことができる。
【００５２】
ここで、図９に示す流入室１２と流出管１４との間の水封について説明する。まず、リップ１５に軟質部材の直動式用ダイヤフラム８２を押し当てることにより、水漏れを防止する。また、軟質の直動式用ダイヤフラム８２と直動式用ダイヤフラムイタ８１の合成樹脂成形部分である部位８１ｄとを当接することにより水漏れを防止する。リップ１５に直動式用ダイヤフラム８２を押し当てて水封するのに必要な押し圧、および、直動式用ダイヤフラム８２と部位８１ｄとを当接して水封するのに必要な押し圧は、直動式用ダイヤフラムイタ８１に形成されたボス８１ｃをパイプ５４のフランジ部５４ｂに当接することで得ている。
【００５３】
水封に必要な押し圧を安定なものにするため、および、隣接するボス８１ｃ間に均一な流路を確保するため、ボス８１ｃは、図１０に示すように、５本以上の複数本としてオリフィス８１ｂを中心とする円周上に等間隔に設定すると共に、各ボス８１ｃの形状は、円柱形とすることが望ましい。水封に必要な押し圧は、ボス８１ｃの高さを変えることにより調整できる。
【００５４】
≪微少流量調整機構部品９≫
次に、給水電磁弁ユニット２Ｄが備える微少流量調整機構部品９について説明する。本例の微少流量調整機構部品９は、図９に示すように、フローコントローラ９１とフローワッシャ９２とを備え、流量調整機構部品７と同様の構成を有する。ただし、調整される流量が微少流量となるように、凸部体および係止部の高さが低く設定し、切り欠きの形状が異なる。なお、微少流量調整機構部品９は、流量調整機構部品７と同様に中心軸体に凸部体よりも高い係止部を設けてもよいが、直動式ダイヤフラムクミ８により流量や水圧が制限されているため、係止部を設けなくてもよい。
【００５５】
このように、本実施形態に係る多連式給水電磁弁１は、流量調整機構（流量調整機構部品７および微少流量調整機構部品９）や、ダイヤフラムクミ（パイロット式ダイヤフラムクミ６および直動式ダイヤフラムクミ８）を組み替えることにより、流出口４Ａ，４Ｂ，４Ｃ，４Ｄから流出する水の流量を調整することができる。
【符号の説明】
【００５６】
１…多連式給水電磁弁
２Ｃ…給水電磁弁ユニット（第一電磁弁）
２Ｄ…給水電磁弁ユニット（第二電磁弁）
３…流入口
３１…流入口フィルタ
３２…流入口流量調整機構部品
４Ａ，４Ｂ…流出口
４Ｃ…流出口（第一流出口）
４Ｄ…流出口（第二流出口）
５…プランジャユニット
５１…プランジャ
５２…プランジャシート
５３…コイルバネ
５４…パイプ
５４ａ…筒部
５４ｂ…フランジ部
５４ｃ…水封部
５５…ソレノイド
５６…ヨーク
６…ダイヤフラムクミ（第一ダイヤフラムクミ）
６１…ダイヤフラムイタ（第一ダイヤフラムイタ）
６１ａ…サイドオリフィス
６１ｂ…オリフィス（第一オリフィス）
６１ｃ…円筒部
６１ｄ…整流羽根
６１ｅ…ダイヤフラムイタの角部
６１ｅ…平面部
６１ｆ…周壁部
６１ｇ…丸み付け（Ｒ）
６２…ダイヤフラム（第一ダイヤフラム）
６２ａ…給水遮断部
６２ｂ…固定部
６２ｃ…弾性変形部
６３…水撃圧低減部品
６４…空隙部
７…流量調整機構部品
７１…フローコントローラ
７２…フローワッシャ
７３…中心軸体
７４…凸部体
７５…係止部
７６…切欠
７７…流路
７８…クリアランス
８…直動式ダイヤフラムクミ（第二ダイヤフラムクミ）
８１…直動式用ダイヤフラムイタ（第二ダイヤフラムイタ）
８１ａ…孔
８１ｂ…オリフィス（第二オリフィス）
８１ｃ…ボス（突き当て部）
８１ｄ…部位（合成樹脂部位）
８２…直動式用ダイヤフラム（第二ダイヤフラム）
８２ａ…孔
８３…メッシュ
９…微少流量調整機構部品
１０…鉄板プレート
１１…ボディ
１２…流入室
１３…背圧室
１４…流出管
１５…リップ
１６…部品取付部
【図１】
2014047803.tif 000003
【図２】
2014047803.tif 000004
【図３】
2014047803.tif 000005
【図４】
2014047803.tif 000006
【図５】
2014047803.tif 000007
【図６】
2014047803.tif 000008
【図７】
2014047803.tif 000009
【図８】
2014047803.tif 000010
【図９】
2014047803.tif 000011
【図１０】
2014047803.tif 000012
【図１１】
2014047803.tif 000013
【図１２】
2014047803.tif 000014
【図１３】
2014047803.tif 000015